(57)【要約】【課題】永久磁石による磁力作用，　突起部によるつぼ刺激が得られ、携帯でき、使い勝手の良いつぼ刺激具を提供する。【解決手段】第１の永久磁石３は、ペン型の本体部１の先細り先端部２に設けられ、第２の永久磁石５は、本体部１の他端部４に設けられ、突起部７は、本体部１の周壁６に長手に複数列設けられ、いずれも、つぼに押圧されることでつぼを刺激する。手で握ることにより、手のひらのつぼを容易に刺激でき、携帯に便利で、使い勝手が良い。【選択図】　　　　　　　　図１
2004057258.tif 000002
【特許請求の範囲】
【請求項１】
先細り柱状のペン型の本体部と、
前記本体部の先細り先端部に設けられ、人体のつぼに押圧されることにより前記つぼを刺激する第１の永久磁石と、
前記本体部の他端部に設けられ、前記つぼに押圧されることにより前記つぼを刺激する第２の永久磁石と、
前記本体部の周壁に長手方向に複数列設けられ、前記つぼに押圧されることにより前記つぼを刺激する突起部と、から成ることを特徴とするつぼ刺激具。
【請求項２】
前記第１の永久磁石は、前記先細り先端部の径に対応して小さく構成され、前記つぼを細かく刺激し、
前記第２の永久磁石は、前記他端部の径に対応して大きく構成され、前記つぼを広範囲に刺激する請求項１記載のつぼ刺激具。
【請求項３】
前記人体の衣服に着脱可能な留め具は、前記本体部に設けられる請求項１記載のつぼ刺激具。
【発明の詳細な説明】
【０００１】
【発明の属する技術分野】
本発明は、人体のつぼを刺激するつぼ刺激具に関する。
【０００２】
【従来の技術】
従来、例えば、特開２００１−２９３０５９において、つぼ刺激具およびつぼ刺激具を装備した座具が提案されている。
上述の従来例は、長孔を設けたケース体と、前記長孔に摺動自在に設置された複数の半球状の突起部を備え、前記突起部内に磁石を収容させたつぼ刺激具および前記つぼ刺激具を上下動可能にした座具で、体圧を利用して突起部により腰や背中、また肩や首周辺に点在するつぼを刺激していた。
【０００３】
【発明が解決しようとする課題】
そこで、本発明は、永久磁石による磁力作用および突起部によるつぼ刺激が得られ、また携帯に便利で、使い勝手の良いつぼ刺激具を提供することを目的とする。
【０００４】
【課題を解決するための手段】
請求項１の本発明は、先細り柱状のペン型の本体部と、
前記本体部の先細り先端部に設けられ、人体のつぼに押圧されることにより前記つぼを刺激する第１の永久磁石と、
前記本体部の他端部に設けられ、前記つぼに押圧されることにより前記つぼを刺激する第２の永久磁石と、
前記本体部の周壁に長手方向に複数列設けられ、前記つぼに押圧されることにより前記つぼを刺激する突起部と、から成ることを特徴とするつぼ刺激具である。
【０００５】
請求項２の本発明は、前記第１の永久磁石は、前記先細り先端部の径に対応して小さく構成され、前記つぼを細かく刺激し、
前記第２の永久磁石は、前記他端部の径に対応して大きく構成され、前記つぼを広範囲に刺激する請求項１記載のつぼ刺激具である。
【０００６】
請求項３の本発明は、前記人体の衣服に着脱可能な留め具は、前記本体部に設けられる請求項１記載のつぼ刺激具である。
【０００７】
請求項１の本発明によれば、図１に示されるように、本体部１は、先細り柱状のペン型に構成されるため、携帯に便利となる。
第１の永久磁石３は、先細り柱状のペン型の本体部１の先細り先端部２に設けられ、図示されない人体のつぼに押圧されることによりつぼを刺激する。
このため、第１の永久磁石３から生じる磁力の作用によりつぼを刺激する。
第２の永久磁石５は、本体部１の他端部４に設けられ、つぼに押圧されることによりつぼを刺激する。
このため、第２の永久磁石５から生じる磁力の作用によりつぼを刺激する。
突起部７は、本体部１の周壁６に長手方向に複数列設けられ、つぼに押圧されることによりつぼを刺激する。
このため、手のひらで握ることにより、この手のひらのつぼを容易に刺激できる。
【０００８】
請求項２の本発明によれば、図１に示されるように、第１の永久磁石３は先細り先端部２の径に対応して小さく構成され、つぼを細かく刺激し、第２の永久磁石５は他端部４の径に対応して大きく構成され、つぼを広範囲に刺激できる。
このため、第１の永久磁石３あるいは第２の永久磁石５の使い分けにより、つぼを細かく刺激でき、あるいは、つぼを広範囲に刺激でき、必要とされる刺激の程度に応ずることができる。
【０００９】
請求項３の本発明によれば、留め具８は、本体部１に設けられ、図示されない人体の衣服に着脱可能に構成される。
このため、携帯に便利で、着脱容易で、使い勝手が良くなる。
【００１０】
【発明の実施の形態】
以下、本発明を、図面を参照して、その実施の形態に基づいて説明する。
図１に示されるように、本体部１は、先細り柱状のペン型に構成されるため、携帯に便利となる。　本体部１は、好適にはプラスティックから成るが、その材質は限定されない。
第１の永久磁石３は、本体部１の先細り先端部２に設けられ、図示されない人体のつぼに押圧され磁力の作用によりつぼを刺激する。
この第１の永久磁石３の材質は、ネオジウムが好適であるが、永久磁石であればよく、材質は限定されない。
第２の永久磁石５は、本体部１の他端部４に設けられ、つぼに押圧され磁力の作用によりつぼを刺激する。
第２の永久磁石５の材質は、ネオジウムが好適であるが、永久磁石であればよく、材質は限定されない。
ここで、図２―図４に示されるように、第１の永久磁石３は、先細り先端部２の径に対応して小さく構成され、つぼを細かく刺激できる。
第２の永久磁石５は、他端部４の径に対応して大きく構成され、つぼを広範囲に刺激できる。
このため、第１の永久磁石３あるいは第２の永久磁石５の使い分けにより、つぼを細かく刺激でき、あるいは、つぼを広範囲に刺激でき、必要とされる刺激の程度に応ずることができる。
突起部７は、本体部１の周壁６に長手方向に複数列設けられ、つぼに押圧されることによりつぼを刺激する。　このため、手のひらで握ることにより、この手のひらのつぼを容易に刺激できる。
この突起部７は、好適には一体成型により構成されるが、その製造方法は、限定されない。
留め具８は、本体部１に設けられ、図示されない人体の衣服に着脱可能に構成される。　このため、携帯に便利で、着脱容易で、使い勝手が良くなる。
この留め具８の材料としては、好適にはプラスチックが用いられるが、金属等も用いられ、その材料は限定されない。
本体部１、突起部７及び留め具８は、本実施の形態においては一体成型により製造されるが、その製造方法は限定されない。
【００１１】
【発明の効果】
本発明は、以上説明したように、永久磁石による磁力作用および突起部によるつぼ刺激が得られ、また携帯に便利で、使い勝手の良いつぼ刺激具を提供することができる。
【図面の簡単な説明】
【図１】本発明の一実施の形態の斜視図である。
【図２】図２（ａ）は図１に示される実施の形態の平面図である。
図２（ｂ）は図２（ａ）に示される実施の実態のＡ―Ａ矢視図である。
図２（ｃ）は図２（ａ）　に示される実施の形態のＢ―Ｂ矢視図である。
【図３】図２（ａ）　に示される実施の実態のＤ―Ｄ矢視図である。
【図４】図３に示される実施の実態のＥ―Ｅ矢視図である。
【符号の説明】
１　本体部　　　　　　　　２　先細り先端部
３　第１の永久磁石　　　　４　他端部
５　第２の永久磁石　　　　６　周壁
７　突起部　　　　　　　　８　留め具
【図１】
2004057258.tif 000003
【図２】
2004057258.tif 000004
【図３】
2004057258.tif 000005
【図４】
2004057258.tif 000006